(57)【要約】      （修正有）【課題】予約登録の処理を簡単にする。【解決手段】Ｓ１で予約情報を取得し、Ｓ２で接続元機器に対し接続先機器が有無を判定する。接続先機器がない場合、その旨の警告をデジタル放送受信装置側に表示し、接続先機器がある場合と共にＳ４に進み予約登録をデジタル放送受信装置側のメモリに保存する。Ｓ５で予約開始状態になると、Ｓ６で再度接続機器の有無を確認し、接続機器がある場合にはＳ７に進み、予約対象とする記録再生装置の電源オンオフを確認する。電源オフの場合はＳ８で予約対象の記録再生装置に電源オンを要求し、オンの場合と共にＳ９に進み、予約対象の記録再生装置に予約録画対象チャネルの選局を指示する。Ｓ９で選局が成功したか否かを判定する。デジタル放送受信装置側のメモリに予約情報を保存して管理し、記憶再生装置に予約情報を転送することなく接続元機器の操作で接続先機器に対する予約を行える。【選択図】図５
2008028633.tif 000002
【特許請求の範囲】
【請求項１】
デジタル放送を視聴可能な接続元機器と、該接続元機器と接続可能なｎ（ｎは正の整数）のデジタル放送を録画可能な接続先機器と、を有し両機器間で予め定められたプロトコルにより機器間での双方向通信が可能なデジタル機器システムにおいて、
前記接続元機器の視聴予約情報と前記接続先機器毎の録画予約情報とを含む予約登録データを記憶するための第１の記憶部が前記接続元機器側に設けられていることを特徴とするデジタル機器システム。
【請求項２】
前記予約登録データを記憶する第２の記憶部が前記接続先機器側に設けられていることを特徴とする請求項１に記載のデジタル機器システム。
【請求項３】
前記予約登録データは、予約対象機器ＩＤと、予約対象番組ＩＤと、予約対象期間と、を含むことを特徴とする請求項１又は２に記載のデジタル機器システム。
【請求項４】
前記予約登録データは、前記接続元機器と前記接続先機器との予約に関連する操作に基づいて前記双方向通信を利用して取得されることを特徴とする請求項１から３までのいずれか１項に記載のデジタル機器システム。
【請求項５】
前記予約に基づく処理の開始までは、前記予約登録データを、前記接続元機器から前記接続先機器に前記双方向通信を利用して転送又は複写可能なことを特徴とする請求項１から４までのいずれか１項に記載のデジタル機器システム。
【請求項６】
前記第１の記憶部に記憶されている前記予約登録データに基づいて、前記接続元機器側において一元的に管理し、前記双方向通信を利用して前記予約に関する処理の指示を前記接続先機器に対して行うことを特徴とする請求項１から５までのいずれか１項に記載のデジタル機器システム。
【請求項７】
前記双方向通信を利用して前記予約登録データが前記第２の記憶部に送られることにより、前記接続先機器側で予約に関する処理を管理可能とすることを特徴とする請求項２に記載のデジタル機器システム。
【請求項８】
前記予約に関する処理の開始時刻よりもある時間前までに、前記予約登録データを前記第２の記憶部に送ることを特徴とする請求項７に記載のデジタル機器システム。
【請求項９】
前記接続元機器側において、前記予約登録データの管理元を設定可能とすることを特徴とする請求項１から８までのいずれか１項に記載のデジタル機器システム。
【請求項１０】
前記予約情報の取得から予約に基づく処理の開始までの間に接続先機器の接続の有無を確認する処理を行うことを特徴とする請求項１に記載のデジタル機器システム。
【請求項１１】
前記接続先機器の有無を確認する処理において、接続先機器の接続が検出できない場合でも、予約登録処理を行うことを特徴とする請求項１０に記載のデジタル機器システム。
【請求項１２】
前記接続先機器の有無を確認する処理において、接続先機器が検出できない場合に、前記接続元機器においてその旨を報知することを特徴とする請求項１１に記載のデジタル機器システム。
【請求項１３】
デジタル放送を視聴が可能なテレビジョン装置と、該テレビジョン装置と接続可能なｎ（ｎは正の整数）のデジタル放送を録画可能な記録再生装置と、を有し両機器間で予め定められたＣＥＣプロトコルにより機器間での双方向通信が可能なデジタル機器システムにおいて、
前記テレビジョン装置の視聴予約情報と前記記録再生装置毎の録画予約情報とを含む予約登録データを記憶するための第１の記憶部が前記テレビジョン装置側に設けられていることを特徴とするデジタル機器システム。
【請求項１４】
前記予約情報の取得から予約に基づく処理の開始までの間に記録再生装置の接続の有無を確認する処理を行うことを特徴とする請求項１３に記載のデジタル機器システム。
【請求項１５】
前記記録再生装置の接続の有無を確認する処理において、記録再生装置が検出できない場合でも、予約登録処理を行うことを特徴とする請求項１に記載のデジタル機器システム。
【請求項１６】
デジタル放送を視聴が可能なテレビジョン装置であって、該テレビジョン装置と接続可能なｎ（ｎは正の整数）のデジタル放送を録画可能であり両機器間で予め定められたＣＥＣプロトコルにより機器間での双方向通信が可能なテレビジョン装置において、
前記テレビジョン装置の視聴予約情報と前記記録再生装置毎の録画予約情報とを含む予約登録データを記憶するための第１の記憶部が前記テレビジョン装置側に設けられていることを特徴とするテレビジョン装置。
【請求項１７】
デジタル放送を視聴が可能なテレビジョン装置と接続可能なｎ（ｎは正の整数）のデジタル放送を録画可能な記録再生装置であって、両機器間で予め定められたＣＥＣプロトコルにより機器間での双方向通信が可能なデジタル機器システムを形成する記録再生装置において、
前記テレビジョン装置の視聴予約情報と前記記録再生装置毎の録画予約情報とを含む予約登録データを記憶するための第２の記憶部が前記記録再生装置側に設けられていることを特徴とする記録再生装置。
【請求項１８】
テレビジョン装置と、記録再生装置と、を、ＨＤＭＩインターフェイスを介して接続することにより、ＨＤＭＩ規格に基づく共通コードを用いて双方向通信を行うことにより両機器間で予め定められたプロトコルで機器内部の情報を通信するシステムであって、
前記共通コードに基づく双方向通信により、前記テレビジョン装置と前記記録再生装置における番組予約情報を取得して前記テレビジョン装置側で一元管理する予約管理テーブルを保持することを特徴とするシステム。
【発明の詳細な説明】
【技術分野】
【０００１】
本発明は、デジタル放送受信装置及びそれに関連したデジタル機器システムに関する。
【背景技術】
【０００２】
複数のデジタル家電機器を接続するための汎用性のある最新の規格として、ＨＤＭＩ規格が定められた。ＨＤＭＩ規格においては、ＣＥＣ（Ｃｏｎｓｕｍｅｒ  Ｅｌｅｃｔｒｏｎｉｃｓ  Ｃｏｎｔｒｏｌ）プロトコルを利用している。このＣＥＣプロトコルを利用して、ＨＤＭＩケーブルで接続された機器同士の連携を図るものである。
【０００３】
【表１】
2008028633.tif 000003
【０００４】
表１は、ＣＥＣコマンドの例を示すものであり、ＣＥＣコマンドは、汎用性を維持するために設けられ各機器又はベンダに依存せずに共通の共通コードと、ベンダが固有に規定することができる自由度をもたせるためのベンダに固有の固有コードと、に大別される。
【０００５】
例えば、デジタル放送受信装置（ＴＶ）と記録再生装置（レコーダ）とをＨＤＭＩケーブルで接続し、ＣＥＣプロトコル（コマンド）を利用して、レコーダの予約をデジタル放送受信装置側からの操作で行うこともできる。
【発明の開示】
【発明が解決しようとする課題】
【０００６】
しかしながら、現在までに発表されている製品においては、例えば液晶テレビなどのデジタル放送受信装置と記録再生装置とをＨＤＭＩケーブルで接続した場合において、以下のような問題点がある。
【０００７】
１）予約登録時に、予約情報を記録再生装置に転送する処理を行う動作においては、記録再生装置に対して予約情報を、予約の登録・変更・削除のたびに転送する必要があった。
２）記録再生装置の接続をデジタル放送受信装置側から確認できない場合には、i）予約登録、ii）記録再生装置の接続なしの通知受け取り、iii）記録再生装置を接続、iV）再度の予約登録、という手順をとる必要があるため、予約登録手順に手戻りが発生し煩わしいという問題があった。
【０００８】
本発明は、予約登録に関する処理を簡単にすることを目的とする。
【課題を解決するための手段】
【０００９】
本発明では、テレビ側で予約情報を保持する場合は、予約の変更および解除が容易に行うことができる（その都度、レコーダに予約情報を転送する必要がない）。また、レコーダが予約を受付できない状態であっても予約登録可能であるので、予約開始時までにレコーダがアイドルになっていれば問題なく、予約を行える。また、予約情報をテレビ側で保持するか、レコーダ側で保持するかをユーザが選択することができる。
【００１０】
すなわち、本発明の一観点によれば、デジタル放送を視聴可能な接続元機器と、該接続元機器と接続可能なｎ（ｎは正の整数）のデジタル放送を録画可能な接続先機器と、を有し両機器間で予め定められたプロトコルにより機器間での双方向通信が可能なデジタル機器システムにおいて、前記接続元機器の視聴予約情報と前記接続先機器毎の録画予約情報とを含む予約登録データを記憶するための第１の記憶部が前記接続元機器側に設けられていることを特徴とするデジタル機器システムが提供される。これにより、予約の登録・変更・削除を、接続元機器側の操作により行うことができる。
【００１１】
前記予約登録データを記憶する第２の記憶部が前記接続先機器側に設けられていることが好ましい。前記予約登録データは、予約対象機器ＩＤと、予約対象番組ＩＤと、予約対象期間と、を含むことが好ましい。
【００１２】
前記予約登録データは、前記接続元機器と前記接続先機器との予約に関連する操作に基づいて前記双方向通信を利用して取得されることが好ましい。前記予約に基づく処理の開始までは、前記予約登録データを、前記接続元機器から前記接続先機器に前記双方向通信を利用して転送又は複写可能であっても良い。
【００１３】
さらに、前記第１の記憶部に記憶されている前記予約登録データに基づいて、前記接続元機器側において一元的に管理し、前記双方向通信を利用して前記予約に関する処理の指示を前記接続先機器に対して行っても良い。前記双方向通信を利用して前記予約登録データが前記第２の記憶部に送られることにより、前記接続先機器側で予約に関する処理を管理可能とすることもできる。
【００１４】
前記予約に関する処理の開始時刻よりもある時間前までに、前記予約登録データを前記第２の記憶部に送ることが好ましい。また、前記接続元機器側において、前記予約登録データの管理元を設定可能とすることが好ましい。前記予約情報の取得から予約に基づく処理の開始までの間に接続先機器の接続の有無を確認する処理を行っても良い。前記接続先機器の有無を確認する処理において、接続先機器の接続が検出できない場合でも、予約登録処理を行うことが好ましい。
【００１５】
前記接続先機器の有無を確認する処理において、接続先機器が検出できない場合に、前記接続元機器においてその旨を報知するようにしても良い。
【００１６】
本発明の他の観点によれば、デジタル放送を視聴が可能なテレビジョン装置と、該テレビジョン装置と接続可能なｎ（ｎは正の整数）のデジタル放送を録画可能な記録再生装置と、を有し両機器間で予め定められたＣＥＣプロトコルにより機器間での双方向通信が可能なデジタル機器システムにおいて、前記テレビジョン装置の視聴予約情報と前記記録再生装置毎の録画予約情報とを含む予約登録データを記憶するための第１の記憶部が前記テレビジョン装置側に設けられていることを特徴とするデジタル機器システムが提供される。
【００１７】
前記予約情報の取得から予約に基づく処理の開始までの間に記録再生装置の接続の有無を確認する処理を行うことが好ましい。また、前記記録再生装置の接続の有無を確認する処理において、記録再生装置が検出できない場合でも、予約登録処理を行うこともできる。
【００１８】
本発明の別の観点によれば、デジタル放送を視聴が可能なテレビジョン装置であって、該テレビジョン装置と接続可能なｎ（ｎは正の整数）のデジタル放送を録画可能であり両機器間で予め定められたＣＥＣプロトコルにより機器間での双方向通信が可能なテレビジョン装置において、前記テレビジョン装置の視聴予約情報と前記記録再生装置毎の録画予約情報とを含む予約登録データを記憶するための第１の記憶部が前記テレビジョン装置側に設けられていることを特徴とするテレビジョン装置が提供される。
【００１９】
また、デジタル放送を視聴が可能なテレビジョン装置と接続可能なｎ（ｎは正の整数）のデジタル放送を録画可能な記録再生装置であって、両機器間で予め定められたＣＥＣプロトコルにより機器間での双方向通信が可能なデジタル機器システムを形成する記録再生装置において、前記テレビジョン装置の視聴予約情報と前記記録再生装置毎の録画予約情報とを含む予約登録データを記憶するための第２の記憶部が前記記録再生装置側に設けられていることを特徴とする記録再生装置が提供される。
【００２０】
さらに、テレビジョン装置と、記録再生装置と、を、ＨＤＭＩインターフェイスを介して接続することにより、ＨＤＭＩ規格に基づく共通コードを用いて双方向通信を行うことにより両機器間で予め定められたプロトコルで機器内部の情報を通信するシステムであって、前記共通コードに基づく双方向通信により、前記テレビジョン装置と前記記録再生装置における番組予約情報を取得して前記テレビジョン装置側で一元管理する予約管理テーブルを保持することを特徴とするシステムが提供される。
【発明の効果】
【００２１】
本発明によれば、デジタル放送ストリームを記録媒体に記録することが可能なレコーダと互いに通信プロトコルで接続可能なデジタル放送受信テレビを含むシステムにおいて、テレビ側からレコーダ側の予約登録および解除を容易に行うことができるという利点がある。また、テレビの予約（視聴予約、i.LINKの予約）を行う感覚で、外部レコーダへの予約を行うことができる。
【００２２】
さらに、ユーザの意思や嗜好によって、テレビ主体もしくはレコーダ主体の予約管理を選択できる。テレビ側で予約管理を行う場合は、外部機器の有無や状態に関係なく予約登録が行える（警告による注意の喚起は行う）ため、予約登録操作の手戻りがなくなるという利点がある。
【発明を実施するための最良の形態】
【００２３】
以下に、本発明の実施の形態による電子機器システムについて、ＨＤＭＩ規格に基づくシステムの例にして図面を参照しながら説明を行う。図３は、本実施の形態による電子機器システムの一構成例を示す図である。図１は、図３に示すシステムのうち接続元電子機器の一例であるデジタル放送を受信可能な液晶テレビジョン装置（以下、デジタル放送受信装置と称する。）の一構成例を示す機能ブロック図である。図２は、図３に示すシステムのうち接続先電子機器の一例であるＤＶＤレコーダ（記録再生装置）の一構成例を示す機能ブロック図である。
【００２４】
上記表１には、ＣＥＣコマンド（コード）の例を示す。表１に示すように、ＣＥＣコマンドは、ＨＤＭＩ規格において共通コードと、ベンダ固有の固有コードと、を含む。ここで、ベンダ固有コードとしては、メニュー設定の転送、番組情報、特殊なリモコンキー、詳細なエラー通知などに関するコードがある。以下に説明する処理は、ＣＥＣコマンドに基づく処理を基本とするものである。
【００２５】
図１に示すように、デジタル放送受信装置Ａは、アンテナ１と、デジタル放送のチューナを含むデジタル放送受信部３と、ＨＤＭＩインターフェイス部５と、ＨＤＭＩ信号処理部７と、デコーダ１１と、リモコン受光部１５と、音声信号の処理を行う音声信号処理部２５と、処理後の音声信号に基づく音声を出力するスピーカ２１と、映像信号の処理を行う映像信号処理部２７と、処理後の映像信号に基づく映像を出力するディスプレイ２３と、これらの各機能ブロックについてバスラインを通して制御する制御部（ＣＰＵ）１７と、下記の処理を行うためのプログラムその他の情報を記憶する記憶部１８と、を有している。
【００２６】
図２に示すように、ＤＶＤレコーダＢは、アンテナ４１と、デジタルチューナ４３と、ＨＤＭＩ信号処理部４５と、制御部４７と、リモコン受光部５１と、記憶部（ＨＤＤ）５３と、ＨＤＭＩインターフェイス部５５と、電子番組表取得部５７と、ＤＶＤなどの光ディスク駆動部６３と、操作部６７と、を有している。
【００２７】
図３は、図１及び図２に示すデジタル放送受信装置ＡのＨＤＭＩ入力端子５とＤＶＤレコーダＢのＨＤＭＩ出力端子５５とをＨＤＭＩケーブルによって接続した様子を示す図である。デジタル放送受信装置ＡとＤＶＤレコーダＢとの間において、矢印に示すように、ＤＶＤレコーダＢからデジタル放送受信装置Ａに向けて映像信号が流れ、デジタル放送受信装置ＡとＤＶＤレコーダＢとの間において制御信号（ＣＥＣコード）は双方向に流れる。機器間におけるＨＤＭＩケーブルを介してＣＥＣコードの制御信号のやり取りに基づいて、機器間における制御処理を行うことができる。
【００２８】
次に、本発明の第１の実施の形態によるデジタル機器システムのより具体的な形態について説明する。図４は、本実施の形態によるデジタル機器システムの一構成例を示す図であり、図３に示す図に関連し、より実際のシステムに近づけた図である。図４に示すように、デジタル放送受信装置（ＴＶ：接続元機器）Ａと、ｎ（ｎは正の整数）個のデジタル放送受信レコーダ（記録再生装置：接続先機器）Ｂ−１〜Ｂ−ｎまでと、を、ＨＤＭＩケーブルで接続している。前述のように、デジタル放送受信装置Ａと、デジタル放送受信レコーダＢ−１〜Ｂ−ｎまでと、はＣＥＣプロトコルにより双方向通信が可能である。
【００２９】
【表２】
2008028633.tif 000004
【００３０】
表２は、デジタル放送受信装置Ａ側の記憶部１８（図１）に記憶されている予約登録情報テーブルの一例を示す表である。表２に示す情報は、記憶部１８に記憶しておく。但し、双方向通信により記録再生装置側の記憶部５３に情報をコピー又はムーブすることも可能である。表２に示すように、予約登録情報テーブルにおいては予約に基づく録画或いは視聴開始時刻と、予約に基づく録画或いは視聴終了時刻と、対象となる番組のチャネルと、予約対象機器と、を含んでいる。例えば、ＩＤ３では、地上デジタル放送の０１１チャネルで放送される番組を６月１５日の２１：００〜２２：００までの間、記録再生装置に録画する予約がされていることが示されている。この情報に沿って種々の番組に関する録画又は視聴が予約され、また、どのような予約がされているかを確認することもできる。
【００３１】
図５、図６は、デジタル放送受信装置Ａ側における記録再生装置に対する予約処理の流れを示すフローチャート図である。まず、ステップＳ１において表２に示すような予約情報を取得し、ステップＳ２において接続元機器Ａに対して例えばＨＤＭＩなどの接続先機器があるか否かを判定する。接続先機器がない場合でも（Ｙｅｓ）、例えば接続機器がない旨を「接続機器がありません」又は「機器を接続して下さい」などの警告をデジタル放送受信装置Ａ側の表示装置に表示するが、ステップＳ２で接続先機器がある場合（ステップＳ２のＮｏ）と同様にステップＳ４に進み、予約登録をデジタル放送受信装置Ａ側のメモリ１８に保存する処理を行う。これにより、予約時間に近づくまでは（予約開始時点：ステップＳ４までは）、新たに接続される機器がある可能性があるため上記操作を繰り返す。ステップＳ５において予約開始状態になると、ステップＳ６において再度接続機器があるかどうかを確認し、接続機器がある場合には（Ｎｏ）ステップＳ７に進み、予約対象とする記録再生装置の電源のオンオフを確認する。ステップＳ７において電源がオフ状態である場合にはステップＳ８において通信により予約対象とする記録再生装置の電源をオンするように要求を出し、元々オンだった場合（ステップＳ７：Ｎｏ）とともにステップＳ９に進み、予約対象となっていた記録再生装置に例えば予約録画対象となるチャネルに選局するように通信により指示する。次いで、ステップＳ９において選局が成功したか否かを判定する（ステップＳ１０）。例えば、契約がなされているか否か、Ｂ−ＣＡＳカードが入っているか否かなどである。
【００３２】
ステップＳ１０でＹｅｓの場合には、ステップＳ１１に進み、記録再生装置に対して録画開始を要求する。次いで、ステップＳ１２において、録画開始処理が成功したか否かを判定し、録画開始処理が失敗の場合には（Ｎｏ）ステップＳ１８へ、録画開始処理が成功の場合には（Ｙｅｓ）ステップＳ１３に進み、録画終了時間に到達した場合に、ステップＳ１４において記録再生装置に対して録画終了処理を行うように要求する。次いで、ステップＳ１５において、録画終了処理が成功したか否かを判定し、成功しなかった場合には（Ｎｏ）ステップＳ１８に、成功した場合には（Ｙｅｓ）ステップＳ１６に進みステップＳ１６において記録再生装置の電源がオフでなかった場合には（Ｎｏ）、ステップＳ１７に進み電源オフを要求し、電源がオフだった場合（Ｙｅｓ）とともに、処理を終了する（ステップＳ１９）。ステップＳ１０で選局失敗の場合には、ステップＳ６でＹｅｓの場合と同様にステップＳ１８に進み予約に基づく処理が失敗したことを報知する。但し、ステップＳ１７においては元の状態に戻すことを原則とするが、予約に関連する処理が時間的に連続している場合には、わざわざ電源をオフにする処理は不要であるため、オフしないように制御するのが好ましい。
【００３３】
このように、デジタル放送受信装置Ａ側のメモリ１８に予約情報を保存しておく場合には、すなわち、テレビ側で予約情報を管理することで、予約情報を記憶再生装置に対する視聴予約・ｉＬｉｎｋの予約などの予約を行う際に、その都度、記憶再生装置に対して予約情報を転送することなく、接続元機器であるテレビ側の操作で、接続先機器である記録再生装置に対する予約を行うことができる。また、また、記憶再生装置が予約を受付できない状態であってもデジタル放送受信装置側で予約登録が可能であるため、予約開始時までに記憶再生装置をアイドル状態にしておけば予約が行え、節電効果もある。
【００３４】
尚、例えば、予約登録保存（ステップＳ４）から予約開始（ステップＳ５）までの間に、デジタル放送受信装置Ａ側から対象となる記憶再生装置側に対して、対象となる機器の予約情報を記憶再生装置側に転送し、記憶部５３（図２）で記憶させるようにすれば、記憶再生装置を予約管理の主体とすることも可能である。予約情報をいずれの側で保持するかを、ユーザに選択させることも可能である。ユーザの選択は、リモコン装置又はＧＵＩなどにより行うことができる。
【００３５】
次に、本発明の第２の実施の形態によるデジタル機器システムについて説明する。システム構成は図４に示すものと同様とする。図７は、本実施の形態による予約関連処理の流れを示すフローチャート図である。本実施の形態では、記憶再生装置側で予約情報を管理する。予約登録時に、予約情報を記憶再生装置側に送り、その後は記憶再生装置側で管理を行う。まず、ステップＳ２１において、デジタル放送受信装置側において予約情報を取得し、表２に示すような予約管理情報データを作成する。その後、接続機器の有無を判定し（ステップＳ２２）、接続機器がない場合には（Ｙｅｓ）ステップＳ２４に進み接続時機器が無い旨の警告を報知し、ステップＳ２５において処理を終了する。接続機器がある場合には（Ｎｏ）ステップＳ２３に進み、予約情報のうち対象となる記録再生装置に関する情報をその記録再生装置に送り、ステップＳ２５で処理を終了する。これにより、自己の記録再生装置に関連する予約情報を記録再生装置側で保持することができるため、記録再生装置側での処理を行うことができ、デジタル放送受信装置をフリーにすることができるという利点がある。
【００３６】
尚、上記処理において、予約開始の例えば１０分前（但し時間はある制限の中で任意である。）までは、デジタル放送受信装置側で予約情報を保持し、その後は対象となる記憶再生装置に予約情報を転送してしまうように制御することもできる。これにより、デジタル放送受信装置の記憶部１８のメモリ領域を開放し、新たな情報の記憶領域として活用することができるという利点がある。また、予約開始のどの程度の時間前に予約情報を転送等行うかをユーザ側で設定しておくことも可能である。また、ユーザの操作時点を転送のタイミングとすることも可能である。もちろん両方の装置で予約情報を保持しておくことも可能である。
【産業上の利用可能性】
【００３７】
本発明は、デジタル機器システムに利用可能である。
【図面の簡単な説明】
【００３８】
【図１】図１は、下記図３に示すシステムのうち接続元電子機器の一例であるデジタル放送を受信可能な液晶テレビジョン装置の一構成例を示す機能ブロック図である。
【図２】図２は、図３に示すシステムのうち接続先電子機器の一例であるＤＶＤレコーダ（記録再生装置）の一構成例を示す機能ブロック図である。
【図３】図３は、本実施の形態による電子機器システムの一構成例を示す図である。
【図４】本発明の第１の実施の形態によるデジタル機器システムのより具体的な形態であり、図３に示す図に関連し、より実際のシステムに近づけた図である。
【図５】デジタル放送受信装置Ａ側における記録再生装置に対する予約処理の流れを示すフローチャート図である。
【図６】デジタル放送受信装置Ａ側における記録再生装置に対する予約処理の流れを示すフローチャート図であり、図５に続く図である。
【図７】本発明の第２の実施の形態によるデジタル機器システムにおける予約関連処理の流れを示すフローチャート図である。
【符号の説明】
【００３９】
Ａ…デジタル放送受信装置、Ｂ…ＤＶＤレコーダ、１…アンテナ、３…デジタル放送受信部、５…ＨＤＭＩインターフェイス部、７…ＨＤＭＩ信号処理部、１１…デコーダ、１５…リモコン受光部、１７…制御部（ＣＰＵ）、１８…記憶部、２１…スピーカ、２３…ディスプレイ、２５…音声信号処理部、２７…映像信号処理部、４１…アンテナ、４３…デジタルチューナ、４５…ＨＤＭＩ信号処理部、４７…制御部、５１…リモコン受光部、５３…記憶部（ＨＤＤ）、５５…ＨＤＭＩインターフェイス部、５７…電子番組表取得部、６３…光ディスク駆動部、６７…操作部。
【図１】
2008028633.tif 000005
【図２】
2008028633.tif 000006
【図３】
2008028633.tif 000007
【図４】
2008028633.tif 000008
【図５】
2008028633.tif 000009
【図６】
2008028633.tif 000010
【図７】
2008028633.tif 000011
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
デジタル放送を視聴可能な接続元機器と、該接続元機器と接続可能なｎ（ｎは正の整数）のデジタル放送を録画可能な接続先機器と、を有し両機器間で予め定められたプロトコルにより機器間での双方向通信が可能なデジタル機器システムにおいて、
前記接続元機器の視聴予約情報と前記接続先機器毎の録画予約情報とを含む予約登録データであって、前記接続元機器と前記接続先機器との予約に関連する操作に基づいて前記双方向通信を利用して取得され、予約対象機器ＩＤと、予約対象番組ＩＤと、予約対象期間と、予約処理の内容と、を含む予約登録データを記憶するための第１の記憶部が前記接続元機器側に設けられ、
前記第１の記憶部に記憶されている前記予約登録データに基づいて、前記接続元機器側において一元的に管理し、前記双方向通信を利用して前記予約に関する処理の指示を前記接続先機器に対して行うことを特徴とするデジタル機器システム。
【請求項２】
予約登録保存処理から予約開始処理までの間に、対象となる機器の前記予約登録データを転送し、該転送されたデータを記憶する第２の記憶部が前記接続先機器側に設けられていることを特徴とする請求項１に記載のデジタル機器システム。
【請求項３】
前記予約に基づく処理の開始までは、前記予約登録データを、前記接続元機器から前記接続先機器に前記双方向通信を利用して転送又は複写可能なことを特徴とする請求項１又は２に記載のデジタル機器システム。
【請求項４】
前記双方向通信を利用して前記予約登録データが前記第２の記憶部に送られることにより、前記接続先機器側で予約に関する処理を管理可能とすることを特徴とする請求項２に記載のデジタル機器システム。
【請求項５】
前記予約に関する処理の開始時刻よりもある時間前までに、前記予約登録データを前記第２の記憶部に送ることを特徴とする請求項４に記載のデジタル機器システム。
【請求項６】
前記接続元機器側において、前記予約登録データの管理元を設定可能とすることを特徴とする請求項２から５までのいずれか１項に記載のデジタル機器システム。
【請求項７】
前記予約情報の取得から予約に基づく処理の開始までの間に接続先機器の接続の有無を確認する処理を行うことを特徴とする請求項１から６までのいずれか１項に記載のデジタル機器システム。
【請求項８】
前記接続先機器の有無を確認する処理において、接続先機器の接続が検出できない場合でも、予約登録処理を行うことを特徴とする請求項７に記載のデジタル機器システム。
【請求項９】
前記接続先機器の有無を確認する処理において、接続先機器が検出できない場合に、前記接続元機器においてその旨を報知することを特徴とする請求項８に記載のデジタル機器システム。
【請求項１０】
１台の前記接続元機器に対して前記接続先機器が複数台接続されていることを特徴とするとする請求項１から９までのいずれか１項に記載のデジタル機器システム。
【請求項１１】
前記予約登録データは、予約対象機器ＩＤを含むことを特徴とする請求項１０に記載のデジタル機器システム。
【請求項１２】
デジタル放送を視聴可能なテレビジョン装置であって、該テレビジョン装置と接続可能なｎ（ｎは正の整数）のデジタル放送を録画可能な記録再生装置と、両機器間で予め定められたプロトコルにより機器間での双方向通信が可能なテレビジョン装置において、
前記テレビジョン装置の視聴予約情報と前記記録再生装置毎の録画予約情報とを含む予約登録データであって、前記テレビジョン装置と前記記録再生装置との予約に関連する操作に基づいて前記双方向通信を利用して取得され、予約対象機器ＩＤと、予約対象番組ＩＤと、予約対象期間と、予約処理の内容と、を含む予約登録データを記憶するための第１の記憶部が前記テレビジョン装置側に設けられ、
前記第１の記憶部に記憶されている前記予約登録データに基づいて、前記テレビジョン装置側において一元的に管理し、前記双方向通信を利用して前記予約に関する処理の指示を前記記録再生装置に対して行うことを特徴とするテレビジョン装置。